(57)【特許請求の範囲】
【請求項１】
サムターンを回動させるための駆動装置と、
摘み部を前方へ向けた姿勢で前記サムターンを覆うように取り付けられ、前記駆動装置の動作に応じて回動し、前記サムターンを回動させるサムターンカバーと、
前記サムターンカバーの回動位置を判断して施解錠を判別し、前記駆動装置を制御する制御装置と
を備えた電気錠装置であって、
前記駆動装置及び前記サムターンカバーを内蔵した第１筺体と、前記制御装置を内蔵した第２筺体とを有し、さらに前記制御装置及び前記駆動装置へ電力を供給する電源装置を前記第２筺体内に内蔵するとともに、
前記サムターンカバーに、後方へ突出する回動軸を中心軸とした円筒部を形成し、前記円筒部内周面に、複数の被係合部を設ける一方、
前記サムターンを保持可能な保持部を備えているとともに、前記被係合部へ係合可能な係合部を外周面に設けてなる伝達部材を前記円筒部内に収納し、
前記伝達部材を介して、前記サムターンカバーと前記サムターンとを連動可能に連結するとともに、前記係合部を係合させる前記被係合部を選択することにより、前記伝達部材の前記円筒部内への取付回動角度を変更可能としたことを特徴とする電気錠装置。
【請求項２】
前記サムターンカバーを回動軸方向へ進退可能に設けるとともに、
前記サムターンカバーに互いに嵌合する凸部又は凹部の何れか一方を、前記サムターンカバーと前記駆動装置とを連結するギア機構に前記凸部又は前記凹部の他方をそれぞれ設け、
前記サムターンカバーの前記サムターン側への押し込み操作によって前記凸部と前記凹部との嵌合を解除すると、前記ギア機構による連結が解除となり、前記駆動装置を動作させることなく前記サムターンカバーが回動操作自在となることを特徴とする請求項１に記載の電気錠装置。
【発明の詳細な説明】
【技術分野】
【０００１】
本発明は、駆動装置が内蔵された第１筺体と、駆動装置を制御する制御装置が内蔵された第２筺体とが別体とされた電気錠装置に関するものである。
【背景技術】
【０００２】
従来、扉等に既設されているサムターン錠に対して後付けされ、当該サムターン錠の施解錠動作を手動ではなく電動とした電気錠装置としては、種々のものが考案されており、たとえば特許文献１に開示されているような電気錠装置がある。
ここで特許文献１に開示の電気錠装置について説明すると、当該電気錠装置は、サムターンを収納可能な凹部を有するサムターンカバーを備えるとともに、ギア機構を介してサムターンカバーとモータとを連結している。そして、モータを回転駆動させることでサムターンカバーを回動させ、ひいてはサムターンをも回動させて施解錠するようになっている。尚、モータの回転駆動は、制御装置により電気的に制御している。
【０００３】
【特許文献１】特開２００５−２３６８８号公報
【発明の開示】
【発明が解決しようとする課題】
【０００４】
上記特許文献１に開示の電気錠装置では、サムターンカバー、駆動装置、及び制御装置を全て１つの制御箱内に設けている。したがって、制御箱が大型化するといった問題があり、サムターンの設置位置や扉の形状等によっては、扉からはみ出してしまい設置できないといった問題がある。
また、一般的に既設のサムターンは、上下方向に長い姿勢が解錠姿勢、左右方向へ長い姿勢が施錠姿勢となっているが、これとは逆に左右方向へ長い姿勢が施錠姿勢となっているものも少なからずある。また、４５°の傾斜姿勢から逆の４５°の傾斜姿勢へと回動することで施錠／解錠するものもある。このような場合、サムターンカバーとサムターンとを直接又は所定の姿勢でのみ連結する従来の電気錠装置では、電気錠装置本体を本来の設置姿勢から傾けて設置する必要があり、サムターン周縁部のスペースに設置できない、見栄えが悪い等の問題があった。
【０００５】
そこで、本発明は、上記問題に鑑みなされたものであって、比較的スペースを取りやすい制御装置や電源装置をサムターンカバーとは別体として、サムターン周縁に設置する構成要素の小型化を図った上、サムターンの操作形態に拘わらず好適に使用することができる電気錠装置を提供しようとするものである。
【課題を解決するための手段】
【０００６】
上記目的を達成するために、本発明のうち請求項１に記載の発明は、サムターンを回動させるための駆動装置と、摘み部を前方へ向けた姿勢でサムターンを覆うように取り付けられ、駆動装置の動作に応じて回動し、サムターンを回動させるサムターンカバーと、サムターンカバーの回動位置を判断して施解錠を判別し、駆動装置を制御する制御装置とを備えた電気錠装置であって、駆動装置及びサムターンカバーを内蔵した第１筺体と、制御装置を内蔵した第２筺体とを有し、さらに制御装置及び駆動装置へ電力を供給する電源装置を第２筺体内に内蔵するとともに、サムターンカバーに、後方へ突出する回動軸を中心軸とした円筒部を形成し、円筒部内周面に、複数の被係合部を設ける一方、サムターンを保持可能な保持部を備えているとともに、被係合部へ係合可能な係合部を外周面に設けてなる伝達部材を円筒部内に収納し、伝達部材を介して、サムターンカバーとサムターンとを連動可能に連結するとともに、係合部を係合させる被係合部を選択することにより、伝達部材の円筒部内への取付回動角度を変更可能としたことを特徴とする。
この構成によれば、制御装置や電源装置をサムターンカバーや駆動装置と一体的に設置していた従来の電気錠装置と比較して、第１筺体のコンパクト化を図ることができ、第１筺体を、扉からはみ出したりすることなくサムターン近傍に取り付けることができる。また、伝達部材を介して、サムターンカバーとサムターンとを連動可能に連結するにあたり、係合部を係合させる被係合部を選択することで、伝達部材の円筒部内への取付回動角度を変更可能としている。したがって、既設のサムターンの操作形態に拘わらず設置することができ、汎用性に富むし、第１筺体を常に一定の姿勢で設置できるため、第１筺体の設置により見栄えが悪くなるといった問題も生じない。
【０００８】
請求項２に記載の発明は、請求項１に記載の発明において、サムターンカバーを回動軸方向へ進退可能に設けるとともに、サムターンカバーに互いに嵌合する凸部又は凹部の何れか一方を、サムターンカバーと駆動装置とを連結するギア機構に凸部又は凹部の他方をそれぞれ設け、サムターンカバーのサムターン側への押し込み操作によって凸部と凹部との嵌合を解除すると、ギア機構による連結が解除となり、駆動装置を動作させることなくサムターンカバーが回動操作自在となることを特徴とする。
この構成によれば、サムターンカバーのサムターン側への押し込み操作により駆動装置とサムターンカバーとの連結を接続／解除することができるため、必要に応じて手動による施解錠操作を容易に行うことができ、使い勝手が良い。また、手動により容易に解錠操作できるため、住戸内側に電気錠装置を解錠動作させるための別途装置を設ける必要がなく、装置の小型化、設置作業等の簡素化を図ることができ、コスト低減にもなる。さらに、手動による施解錠操作を行う場合にはサムターンカバーの押し込み操作が必要となるため、サムターン回し等による不正解錠を効果的に防止することができる。
【発明の効果】
【０００９】
本発明によれば、制御装置や電源装置をサムターンカバーや駆動装置と一体的に設置していた従来の電気錠装置と比較して、第１筺体のコンパクト化を図ることができ、第１筺体を、扉から突出させたりすることなくサムターン近傍に取り付けることができる。また、電源装置を第２筺体内部に収納したことで、外部電源に頼っていた従来の電気錠装置と比較して、配線作業の簡略化を図ることもできる。
【発明を実施するための最良の形態】
【００１０】
以下、本発明の一実施形態となる電気錠装置について、図面をもとに説明する。
【００１１】
図１は、扉に設置された電気錠装置を示した全体図であって、図２は、電気錠装置のブロック構成図である。
電気錠装置は、サムターン１（図５に示す）を施解錠動作させるカバー装置２と、カバー装置２の動作を制御する制御装置３と、扉の開閉状態を検知するセンサ４と、扉外部に設置され、電気錠装置を戸外から解錠動作させるための図示しない解錠装置（たとえば、カードリーダーや１０キー）とからなる。
【００１２】
まず、カバー装置２について、図３〜図９をもとに説明する。
図３は、カバー装置２を正面から示した説明図であり、図４は、カバー装置２を背面から示した説明図である。また、図５は、分解状態にあるカバー装置２を前方から示した斜視説明図であり、図６は、分解状態にあるカバー装置２を後方から示した斜視説明図である。さらに、図７は、図３におけるＡ−Ａ線断面説明図、図８は、図３におけるＢ−Ｂ線断面説明図、図９は、図３におけるＣ−Ｃ線断面説明図である。
【００１３】
カバー装置２は、基台５と、当該基台５の前方を覆うように組み付けられる前カバー部材６とを組み付けてなるケース部材（函体）内に、サムターン１を覆うように取り付けられるサムターンカバー７、当該サムターンカバー７を回動させるためのモータ８、サムターンカバー７の回動位置を検出するための検出スイッチ９、９等を備えたものである。
【００１４】
基台５は、その下部にサムターン１をケース部材内に収納するための窓１０が開設されてなる台状部材であって、背面に固定される取付金具１１を介して扉に固着される。尚、取付金具１１は、サムターン１を挿通可能な丸孔１２を有しているとともに、基台５を固定可能な一対の固定片１３、１３を左右に備えてなる金属製薄板部材であって、図示しないシール部材（たとえば両面テープ）により扉に接着固定される。
【００１５】
上記基台５の窓１０前方位置には、サムターン１を覆うように取り付けられるサムターンカバー７及び伝達部材１４が設置されている。サムターンカバー７は、前部に摘み部７ａを有する前後方向を中心軸とした円柱状部材であって、当該中心軸を回動軸として回動可能、且つ、前後方向へ進退可能に取り付けられている。該サムターンカバー７には、回動軸を中心軸とした円周面部７ｂが形成されており、当該円周面部７ｂには、検出スイッチ７、７を操作するための３つの操作突条７ｃ、７ｃ・・が９０°の位相で突設されている。また、円周面部７ｂの前部（すなわち、摘み部７ａの周囲）には、後述する該サムターンカバー７とギア機構１５とを連結するための４つの凹部７ｄ、７ｄ・・が９０°の位相で設けられている。さらに、サムターンカバー７の後部には、後方へ突出する円筒部７ｅが設けられており、当該円筒部７ｅの内周面には、８つの凹溝７ｆ、７ｆ・・が４５°の位相で凹設されている。尚、１６は、サムターンカバー７を前方へ付勢するリングバネである。該リングバネ１６により、サムターンカバー７は、通常前方へ押し出されて後述するギア機構１５と連結され、リングバネ１６の付勢力に抗して後方へ押し込み操作された場合のみ、ギア機構１５との連結が解除されるように構成されている。また、各操作突条７ｃの前後方向長さは、サムターンカバー７の前後方向の進退量以上の長さ、すなわち押し出し位置から押し込み位置までの前後方向への距離以上の長さに成形されている。さらに、摘み部７ａと操作突条７ｃ、７ｃ・・との関係は、図１０に示す如く、摘み部７ａが上下方向に長くなる解錠状態を示す姿勢とした際、対向する操作突条７ｃ、７ｃを結ぶ線が水平となり、残りの操作突条７ｃが上方側の外周面における中間位置に位置するようになっている。
【００１６】
また、円筒部７ｅ内には、サムターンカバー７の回動をサムターン１に伝達するための伝達部材１４が嵌装されている。当該伝達部材１４はリング状に形成されており、その外周面には、凹溝７ｆに係合可能な８つの係合突起１４ａ、１４ａ・・が突設されている。また、伝達部材１４の中央部には一対の挟持リブ片１４ｂ、１４ｂが架設されており、当該挟持リブ片１４ｂ、１４ｂ間にサムターン１を挟み込み可能としている。したがって、挟持リブ片１４ｂ、１４ｂ間にサムターン１を挟み込んだ状態で伝達部材１４を円筒部７ｄ内に嵌装することにより、サムターンカバー７の回動がサムターン１に伝達可能となり、サムターンカバー７が回動することでサムターン１も共に回動することになる。尚、伝達部材１４は、円筒部７ｅに対して相対取付回動角度を４５°毎に変更しながら嵌装可能となっている。
【００１７】
さらに、上記基台５の前面には、サムターンカバー７を左右で挟むように一対のスイッチ操作部材１７ａ、１７ｂが取り付けられている。各スイッチ操作部材１７ａ、１７ｂは、上下方向へ長い棒状部材であって、その下端部が軸支されて左右方向へ揺動可能となっている。また、スイッチ操作部材１７ａ、１７ｂの中央部内側には、サムターンカバー７の円周面部７ｂの周面に接触する接触突起１７ｃが突設されている。さらに、スイッチ操作部材１７ａ、１７ｂの上端部同士は、バネ部材１８により互いに引っ張り合う方向へ付勢されている。加えて、各スイッチ操作部材１７ａ、１７ｂ上端部の左右外側端部（左側のスイッチ操作部材１７ａでは左端部、右側のスイッチ操作部材１７ｂでは右端部）には、後述の如くして検出スイッチ９に接触／離隔してＯＮ／ＯＦＦ操作する操作片１７ｄが上方へ突設されている。このように構成されるスイッチ操作部材１７ａ、１７ｂは、接触突起１７ｃが円周面部７ｂに形成された操作突条７ｃと接触して左右外側へ押圧されると、上端部が左右外側のＯＦＦ位置へ移動する。尚、接触突起１７ｃが操作突条７ｃではない周面に接触している場合、スイッチ操作部材１７ａ、１７ｂの上端部は、バネ部材１８によってＯＦＦ位置よりも内側のＯＮ位置で維持される。
【００１８】
加えて、上記基台５の前面で窓１０よりも上方位置には、モータ８を収納可能な収納部１９が設けられており、当該収納部１９内には、モータ８が前後方向を軸として回転駆動可能に設置されている。
【００１９】
また、基台５には、モータ８の前方を覆い、サムターンカバー７の前方まで突出するような基板２０が組み付けられている。当該基板２０の背面には、後述する制御装置３と電気的に接続された検出スイッチ９、９が、ＯＮ／ＯＦＦ操作部を夫々左右外方へ向けた姿勢で固着されている。そして、基板２０の基台５への組み付け状態において、各検出スイッチ９は、各スイッチ操作部材１７ａ、１７ｂの操作片１７ｄよりも内側に位置し、且つ、各ＯＮ／ＯＦＦ操作部が、ＯＮ位置にある操作片１７ｄとは接触し、ＯＦＦ位置にある操作片１７ｄとは離隔するように配置されている。
尚、本実施形態においては、１つの検出スイッチ９及び１つのスイッチ操作部材１７ａ（１７ｂ）によって、第１検出スイッチ及び第２検出スイッチが構成されることになり、サムターンカバー７の円周面部７ｂに形成された操作突条７ｃがスイッチ操作手段となる。
【００２０】
一方、基板２０の前面には、モータ８の回転駆動を伝達するためのギア機構１５を構成する複数のギア１５ａ、１５ｂ・・を収納可能なギア収納部２１が凹設されており、特にギア１５ａは、サムターンカバー７と同軸で回転するように設置されている。また、該ギア１５ａの背面には、サムターンカバー７に設けられた凹部７ｄ、７ｄ・・と嵌合可能な４つの凸部２２、２２・・が９０°の位相で後方へ突設されている。尚、ギア１５ａには、サムターンカバー７の摘み部７ａのみを露出可能な露出孔２３が開設されており、前カバー部材６に開設された操作窓２４を介してサムターンカバー７の摘み部７ａをケース部材の外部から手動操作可能としている。また、基板２０には、モータ８の回転軸を前方側へ突出させるための貫通孔が設けられている。
【００２１】
上述の如く構成されるカバー装置２においては、通常、リングバネ１６によってサムターンカバー７が前方へ押し出されており、サムターンカバー７の凹部７ｄ、７ｄ・・とギア１５ａの凸部２２、２２・・とが嵌合した状態となっている。そのため、モータ８を回転させると、当該回転がギア機構１５を介してサムターンカバー７に伝達され、サムターンカバー７が回動し、ひいてはサムターン１も回動して施解錠動作されることになる。尚、当該嵌合状態にあっては、サムターンカバー７はモータ８と連結されているため、その自由な回動は規制されることになる。
また、サムターンカバー７を後方へ押し込み操作し、凹部７ｄ、７ｄ・・と凸部２２、２２・・との嵌合を解除とすると、サムターンカバー７とモータ８との連結が解除となる。したがって、サムターンカバー７を手動により回動することができ、該押し込み状態のまま摘み部７ａを摘んで右方向又は左方向へ９０°回動操作することで、サムターン１を施解錠動作させることができる。尚、凹部７ｄと凸部２２とは夫々９０°の位相で設けられているため、手動により右方向又は左方向へ９０°回動操作した後には、再び凹部７ｄと凸部２２とが嵌合可能となり、リングバネ１６の付勢力によって両者は嵌合状態へ自動的に復帰する。
【００２２】
次に、制御装置３及びセンサ４について説明する。
制御装置３は、ケース部材内部に、カバー装置２の動作を制御するための制御部３０、制御部３０やモータ８等へ電力を供給するための電源部３１、センサ４により扉の開閉状態を検出するための検出部３２等を収納したものであって、扉の上端部付近に設置される。一方、センサ４は、所定の距離範囲内でのみ制御装置３の検出部３２との間で通信が可能となる通信用部材であって、扉よりも上方で、且つ、扉を閉塞した場合のみ制御装置３との間の距離が上記所定の距離範囲内となる位置に固定される。
【００２３】
そして、制御装置３では、検出スイッチ９、９のＯＮ／ＯＦＦ状態を検出してサムターンカバー７の回動位置、すなわちサムターン１の施解錠状態を判別し、当該判別とセンサ４との検出状態とを統合的に鑑みながら、モータ８の回転駆動を下記の如く制御する。以下、制御装置３による施解錠に係る制御について、図１０及び図１１をもとに説明する。図１０は、解錠状態にあるカバー装置２を背面側から示した説明図であり、図１１は、サムターンカバー７が解錠状態から左方向へ９０°回動した施錠状態にあるカバー装置２を背面側から示した説明図である。尚、図１０及び図１１では、取付金具１１や基台５等を省略して示している。
【００２４】
まず、制御部３０における解錠状態及び施錠状態の判別について説明する。
図１０に示す如く摘み部７ａが上下方向に長くなる解錠状態を示す姿勢にある際、スイッチ操作部材１７ａ、１７ｂは、接触突起１７ｃ、１７ｃがサムターンカバー７の円周面部７ｂに形成された両端の操作突条７ｃ、７ｃによって左右外方へ押し出され、上端部が左右外側のＯＦＦ位置へ移動している。したがって、操作片１７ｄ、１７ｄが検出スイッチ９、９から離隔して、両検出スイッチ９、９は共にＯＦＦとなり、制御部３０では、当該状態を解錠状態として判別するように設定されている。
【００２５】
一方、図１１に示す如くサムターンカバー７が左方向へ９０°回動して摘み部７ａが左右方向へ長くなる施錠状態を示す姿勢にある際、正面から見て左側のスイッチ操作部材１７ａのみが中間位置にある操作突条７ｃによりＯＦＦ位置へ移動した状態となり、正面から見て右側のスイッチ操作部材１７ｂはＯＮ位置に維持されている。つまり、左側の検出スイッチ９はＯＦＦとなり、右側の検出スイッチ９はＯＮとなる。そして、制御部３０では、当該右側の検出スイッチ９のみがＯＮされている状態（所定状態）を検出すると、施錠状態として判別するように設定されている。尚、サムターンカバー７が、施錠位置と解錠位置との中間位置に位置する際には、両検出スイッチ９、９は共にＯＮとなっている。
【００２６】
次に、上記判別をふまえた制御部３０による制御について説明する。
制御部３０は、通常、施錠状態を維持するようになっており、上記手動操作等によりサムターンカバー７が回動され、上記解錠状態を判別すると、当該判別から所定時間経過後、上記施錠状態と判別するまでモータ８を施錠方向へ回転させ、扉を自動的に施錠するようになっている。尚、所定時間の計測は、センサ４との間で磁石による検出が成立している間のみ行うようになっており、扉が開いた状態では施錠動作しないようになっている。
一方、解錠装置に対して所定の解錠操作（たとえば、カードキーをかざす）がなされると、制御部３０は、解錠状態と判別するまでモータ８を解錠方向へ回転させる。
以上のようにして、制御部３０による施解錠に係る制御は行われる。
【００２７】
上述の如く構成される電気錠装置によれば、カバー装置２において、サムターンカバー７に凹部７ｄ、７ｄ・・を、モータ８の回転をサムターンカバー７へ伝達するギア機構１５のギア１５ａに凸部２２、２２・・をそれぞれ設け、凸部２２と凹部７ｄとを嵌合させることで、モータ８とサムターンカバー７とが連結されるように構成しているとともに、サムターンカバー７を前後方向へ進退可能に備え、サムターンカバー７の進退操作により、凸部２２と凹部７ｄとを嵌合／解除可能としている。したがって、サムターンカバー７を押し込み操作するだけで、サムターンカバー７を手動で回動自在とすることができ、従来よりも電動から手動への切り替えの構成を簡素化することができる。さらに、手動により容易に解錠操作できるため、住戸内側に電気錠装置を解錠動作させるための別途装置を設ける必要がなく、装置の小型化、設置作業等の簡素化を図ることができ、コスト低減にもなる。
【００２８】
また、上述の如く、手動で操作するためにはサムターンカバー７を前後方向へ進退させる必要があることから、従来のサムターン回し等による不正解錠を効果的に防止することができる。さらに、リングバネ１６によりサムターンカバー７を前方へ付勢しているため、サムターンカバー７を押し込み操作するためには付勢力に抗する負荷が必要となり、上記防犯効果をより高めることができるし、手動操作後、凸部２２と凹部７ｄとが嵌合する電動操作可能な状態へ自動的に復帰させることができ、使い勝手が良い。
【００２９】
さらに、サムターンカバー７の円周面部７ｂに３つの操作突条７ｃ、７ｃ・・を９０°の位相で設けているとともに、接触突起１７ｃが円周面部７ｂの周面に接触するスイッチ操作部材１７ａ、１７ｂを、当該サムターンカバー７の円周面部７ｂを挟んで対向するように、且つ、下端部を軸支することで接触突起１７ｃと操作突条７ｃとの接触により上端部が左右方向へ移動するように設けている。また、該スイッチ操作部材１７ａ、１７ｂの左右方向への移動に伴い、各スイッチ操作部材１７ａ、１７ｂの操作片１７ｄが接触／離隔してＯＮ／ＯＦＦ操作されるように、２つの検出スイッチ９、９を設けている。そして、制御装置３の制御部３０では、検出スイッチ９、９のＯＮ／ＯＦＦ状態を検出して、上述の如くサムターンカバー７の回動位置、ひいてはサムターン１の施解錠状態を判別するようになっている。このように、２つの検出スイッチ９、９によりサムターンカバー７の回動位置を確実に判別し、施解錠動作を制御可能としており、従来の電気錠装置と比較して、使用するスイッチの数の削減、またそれに伴う装置のコンパクト化や製造の簡易化、制御部３０における制御の簡素化を図ることができる。
【００３０】
さらにまた、円周面部７ｂにおいて各操作突条７ｃを、その前後方向長さがサムターンカバー７の前後方向の進退量以上の長さとなるように形成している。したがって、サムターンカバー７が電動により回動される場合は勿論、押し込み操作されて手動で回動された場合にも、操作突条７ｃは接触突起１７ｃに接触可能となるため、検出スイッチ９、９によりサムターンカバー７の回動位置を確実に検出することができる。したがって、電気錠装置の構成を合理化することができ、部品点数の削減や装置のコンパクト化を図ることができる。
【００３１】
またさらに、本実施形態の電気錠装置では、サムターン１を回動させるモータ８等を内蔵したカバー装置２と、モータ８の回転駆動を制御する制御部３０を内蔵した制御装置３とを別体成形し、モータ８等へ電源を供給する電源部３１は制御装置３内部に設けている。したがって、制御部や電源部をカバー装置内部に一体的に設置していた従来の電気錠装置と比較して、カバー装置２のコンパクト化を図ることができ、カバー装置２を、扉からはみ出したりすることなくサムターン１近傍に取り付けることができる。さらに、電源部３１を制御装置３内部に収納したことで、外部電源に頼っていた電気錠装置と比較して、配線作業の簡略化を図ることもできる。
【００３２】
加えて、サムターンカバー７に対して相対回動角度を４５°毎に変更しながら取付可能な伝達部材１４を介してサムターンカバー７とサムターン１とを連結している。このように伝達部材１４を介して連結することで、既設のサムターン１の操作形態に拘わらず設置することができ、汎用性に富むし、カバー装置２を常に一定の姿勢で設置できるため、カバー装置２の設置により見栄えが悪くなるといった問題も生じない。
【００３３】
なお、本発明に係る電気錠装置は、上記実施形態に記載の態様に何ら限定されるものではなく、カバー装置及び制御装置に係る構成を、本発明の趣旨を逸脱しない範囲で、必要に応じて適宜変更することができる。
【００３４】
たとえば、上記実施形態では、住戸内側からみて左開きの扉に設置した構成を示しているが、カバー装置２や制御装置３を右開きの扉に対して設置することも可能である。この場合、図１２に示す如くサムターンカバー７が右方向へ９０°回動して摘み部７ａが左右方向へ長くなる姿勢が施錠状態となる。つまり、上記実施形態に記載のものとは逆に、右側のスイッチ操作部材１７ｂのみが中間位置にある操作突条７ｃによりＯＦＦ位置へ移動し、左側のスイッチ操作部材１７ａはＯＮ位置に維持された状態となる。そこで、制御部３０を、左側の検出スイッチ９のみがＯＮされている状態（所定状態）を検出すると、施錠状態として判別するように設定し、解錠状態と判別した際のモータ８の回転方向等を上記実施形態とは逆にすることで対応することができる。このように扉の左開き・右開き如何に拘わらず使用することができるため、汎用性に富むといった効果もある。
【００３５】
また、上記実施形態では、サムターンカバー７に凹部７ｄを、ギア１５ａに凸部２２を設けてクラッチ機構を構成しているが、所定の操作位置でのみサムターンカバー７に係止するようなクラッチ部材を別途設け、当該クラッチ部材を操作することよりモータ８とサムターンカバー７との連結が接続／解除となるように構成することも可能であるし、サムターンカバー７を押し込み操作するのではなく、前方へ引き抜き動作することでサムターンカバー７とモータ８との連結が解除されるよう構成してもよい。加えて、凸部２２と凹部７ｄとでクラッチ機構を構成するに際し、どちら側に凸部を設けるかは適宜設計変更可能である。
【００３６】
さらに、検出スイッチ９と操作片１９ｄとの左右での位置関係を逆に構成することも可能である。この場合、サムターンカバー７の回動位置に伴う検出スイッチ９、９のＯＮ／ＯＦＦ状態は上記実施形態とは逆となる（たとえば、両検出スイッチ９、９が共にＯＮである際に解錠状態であると判別することになる）ものの、検出精度や使い勝手の面において何ら問題はないし、所定状態の条件（すなわち、第１検出スイッチ及び第２検出スイッチのみがスイッチ操作手段により操作されていること）が変わることもない。
さらにまた、サムターンカバー７の円周面部７ｂに操作突条７ｃを設けるのではなく、操作凹条を設け、接触突起１７ｃが該操作凹条に嵌入することでスイッチ操作部材１７ａ、１７ｂの上端部が移動し、検出スイッチ９、９をＯＮ／ＯＦＦ操作するよう構成することも可能であるし、スイッチ操作部材１７ａ、１７ｂ等を設けず、操作突条７ｃが直接検出スイッチ９をＯＮ／ＯＦＦ操作するように検出スイッチ９を配置してもよい。
【００３７】
またさらに、円筒部７ｅ内に設ける凹溝７ｆや伝達部材１４に設ける係合突起１４ａの数等も適宜変更可能であるし、両者を同一数とするのではなく、たとえば伝達部材１４の外周面には一対の係合突起１４ａ、１４ａを対向するように設け、当該係合突起１４ａ、１４ａを係合させる凹溝７ｆを選択することにより、伝達部材１４の取付回動角度を変更するよう構成してもよい。
加えて、住戸内側にも制御装置３に解錠動作させるための解錠ボタン等を備えた解錠装置を別途設置し、電動及び手動のどちらでも解錠操作できるように構成しても何ら問題はない。
【図面の簡単な説明】
【００３８】
【図１】扉に設置された電気錠装置を示した全体図である。
【図２】電気錠装置のブロック構成図である。
【図３】カバー装置を正面から示した説明図である。
【図４】カバー装置を背面から示した説明図である。
【図５】分解状態にあるカバー装置を前方から示した斜視説明図である。
【図６】分解状態にあるカバー装置を後方から示した斜視説明図である。
【図７】図３におけるＡ−Ａ線断面説明図である。
【図８】図３におけるＢ−Ｂ線断面説明図である。
【図９】図３におけるＣ−Ｃ線断面説明図である。
【図１０】解錠状態にあるカバー装置を背面側から示した説明図である。
【図１１】サムターンカバーが解錠状態から左方向へ９０°回動した施錠状態にあるカバー装置を背面側から示した説明図である。
【図１２】サムターンカバーが解錠状態から右方向へ９０°回動した施錠状態にあるカバー装置を背面側から示した説明図である。
【符号の説明】
【００３９】
１・・サムターン、２・・カバー装置（第１筺体）、３・・制御装置（第２筺体）、４・・センサ、５・・基台、６・・前カバー部材、７・・サムターンカバー、７ａ・・摘み部、７ｂ・・円周面部、７ｃ・・操作突条（スイッチ操作手段、突起部）、７ｄ・・凹部（クラッチ機構）、７ｅ・・円筒部、７ｆ・・凹溝（被係合部）、８・・モータ（駆動装置）、９・・検出スイッチ（第１検出スイッチ、第２検出スイッチ）、１０・・窓、１１・・取付金具、１４・・伝達部材、１４ａ・・係合突起（係合部）、１４ｂ・・挟持リブ片、１５・・ギア機構、１５ａ〜１５ｃ・・ギア、１６・・リングバネ（付勢手段）、１７ａ、１７ｂ・・スイッチ操作部材（第１検出スイッチ、第２検出スイッチ）、１７ｃ・・接触突起、１７ｄ・・操作片、１８・・バネ、１９・・収納部、２０・・基板、２２・・凸部（クラッチ機構）、３０・・制御部、３１・・電源部（電源装置）、３２・・検出部。
【図１】
0005053782.tif 000002
【図２】
0005053782.tif 000003
【図３】
0005053782.tif 000004
【図４】
0005053782.tif 000005
【図５】
0005053782.tif 000006
【図６】
0005053782.tif 000007
【図７】
0005053782.tif 000008
【図８】
0005053782.tif 000009
【図９】
0005053782.tif 000010
【図１０】
0005053782.tif 000011
【図１１】
0005053782.tif 000012
【図１２】
0005053782.tif 000013